(57)【要約】【課題】食器洗浄機用のポンプガードの清掃作業の負担を軽減する。【解決手段】ポンプガード１２は、洗浄タンク９の側面９ｂに設けられた洗浄ポンプ吸込口９ｃを内側から覆う食器洗浄機用のポンプガードである。ポンプガード１２は、洗浄タンク９の側面９ｂに対して配置され、吸込口９ｃに対応する吸込開口４３ａを有する環状の取付板４３と、取付板４３に対して吸込開口４３ａを覆うように固定され、複数のフィルタ孔４４ｄを有するポンプガード本体Ｂと、を備える。取付板４３は、洗浄タンク９の側面９ｂに対して固定された複数のネジ４１によって、吸込口９ｃの周りで回転可能に係止されている。【選択図】図４
2015077267.tif 000002
【特許請求の範囲】
【請求項１】
洗浄タンクの側面に設けられた洗浄ポンプ吸込口を内側から覆う食器洗浄機用のポンプガードであって、
前記洗浄タンクの前記側面に対して配置され、前記吸込口に対応する吸込開口を有する環状の取付板と、
前記取付板に対して前記吸込開口を覆うように固定され、複数のフィルタ孔を有するポンプガード本体と、
を備え、
前記取付板は、前記洗浄タンクの前記側面に対して固定された複数のネジによって、前記吸込口の周りで回転可能に係止されていることを特徴とする食器洗浄機用のポンプガード。
【請求項２】
前記ポンプガード本体の上面側には、前記フィルタ孔が設けられていない非フィルタ領域が形成され、
前記取付板は、前記取付板の回転方向に沿って延在する少なくとも一対の長孔を有しており、
前記ポンプガード本体は、前記取付板の前記少なくとも一対の長孔に前記ネジがそれぞれ挿通されることで、前記非フィルタ領域が上方を向く範囲内に回転範囲が規制されていることを特徴とする請求項１に記載の食器洗浄機用のポンプガード。
【請求項３】
前記一対の長孔は、前記取付板の回転方向及び上下方向に沿うように延在しており、
前記ポンプガード本体は、前記複数のネジにより、前記取付板の前記長孔に沿って上下方向にスライド可能に係止されている請求項２に記載の食器洗浄機用のポンプガード。
【請求項４】
前記ポンプガード本体の上面側には、前記フィルタ孔が設けられていない非フィルタ領域が形成され、
前記取付板は、前記ネジを挿通させるための丸孔及び長孔を有し、
前記長孔は、前記丸孔に挿通された前記ネジを中心とする円に沿って延在しており、
前記ポンプガード本体は、前記丸孔及び前記長孔に前記ネジがそれぞれ挿通されることで、前記非フィルタ領域が上方を向く範囲内に回転範囲が規制されていることを特徴とする請求項１に記載の食器洗浄機用のポンプガード。
【請求項５】
前記吸込開口は円形状の開口であり、
前記取付板は、
前記取付板の回転方向に沿って延在する長孔と、
前記吸込開口の一部を外側に切り欠いて形成された切り欠き溝と、を有し、
前記ポンプガードは、前記長孔に前記ネジが挿通されると共に前記切り欠き溝に他の前記ネジの軸部が掛けられることで、前記他のネジを中心として回転可能に係止されていることを特徴とする請求項１に記載の食器洗浄機用のポンプガード。
【請求項６】
前記ネジの軸部には、円筒状のカラー部材が通されており、
前記カラー部材の先端側には、前記洗浄タンクの前記側面に当接する先端面と、前記先端面の周囲に形成され、前記側面から離間する段差部と、が形成され、
前記取付板の一部は、前記カラー部材の前記段差部と前記側面との間の隙間に入り込んでいることを特徴とする請求項１〜５のいずれか一項に記載の食器洗浄機用のポンプガード。
【発明の詳細な説明】
【技術分野】
【０００１】
本発明は、食器洗浄機の洗浄タンク内に設けられる食器洗浄機用のポンプガードに関する。
【背景技術】
【０００２】
従来、洗浄タンク内に貯留された洗浄水を洗浄ポンプで吸い込んで循環利用する食器洗浄機が知られている。このような食器洗浄機の洗浄タンク内には、洗浄ポンプへの異物混入を防止するために、洗浄ポンプの吸込口を覆うポンプガードが設けられる。
【先行技術文献】
【特許文献】
【０００３】
【特許文献１】特開２０００−２５４０７４号公報
【発明の概要】
【発明が解決しようとする課題】
【０００４】
ところで、洗浄ポンプの吸込口は、洗浄タンク内に貯留された洗浄水を満遍なく循環させたり、いわゆるエア噛みを防いだりするために、洗浄タンクの底面付近に設けられることが多い。このような場合に、ポンプガードが洗浄タンクの側壁に固定ネジ等により固定されていると、ポンプガードと洗浄タンクの底面との隙間が小さいため、ポンプガード（特にポンプガードの下面）の清掃作業が困難となる。また、固定ネジを外してポンプガードを取り外せば、ポンプガードの清掃を行うことはできるが、洗浄タンクの底面付近にポンプガードを取り付けている場合には、ポンプガードの着脱作業が非常に困難である。また、清掃作業の際に外した固定ネジ等の部材を紛失するおそれもある。
【０００５】
一方、例えば上記特許文献１には、ポンプガードを洗浄タンクの側壁に固定ネジ等で固定せず、洗浄ポンプの吸込側に係合片を設け、ポンプガードに設けた係止片を当該係合片に係止する構成の食器洗浄機が記載されている。しかしながら、このような食器洗浄機であっても、ポンプガード（特にポンプガードの下面）を清掃するためには、やはりポンプガードを洗浄タンクの側壁から取り外す必要があるため手間がかかる。
【０００６】
そこで、本発明は、ポンプガードの清掃作業の負担を軽減することができる食器洗浄機用のポンプガードを提供することを目的とする。
【課題を解決するための手段】
【０００７】
上記課題を解決するため、本発明は、洗浄タンクの側面に設けられた洗浄ポンプ吸込口を内側から覆う食器洗浄機用のポンプガードであって、洗浄タンクの側面に対して配置され、吸込口に対応する吸込開口を有する環状の取付板と、取付板に対して吸込開口を覆うように固定され、複数のフィルタ孔を有するポンプガード本体と、を備え、取付板は、洗浄タンクの側面に対して固定された複数のネジによって、吸込口の周りで回転可能に係止されていることを特徴とする。
【０００８】
本発明に係る食器洗浄機用のポンプガードによれば、取付板が吸込口の周りで回転可能とされていることにより、通常時におけるポンプガード本体の下面を上方に回転移動させることができる。これにより、通常時において清掃しにくいポンプガード本体の下面を、ポンプガードの着脱を行うことなく清掃することができる。しかも、ポンプガード本体を清掃する際に、ネジを完全に外してポンプガードを洗浄タンクの側面から取り外す必要がなく、清掃の際にネジ等の部材が紛失するおそれがない。従って、この食器洗浄機用のポンプガードによれば、ポンプガードの清掃作業の負担を軽減することができる。
【０００９】
本発明に係る食器洗浄機用のポンプガードでは、ポンプガード本体の上面側には、フィルタ孔が設けられていない非フィルタ領域が形成され、取付板は、取付板の回転方向に沿って延在する少なくとも一対の長孔を有しており、ポンプガード本体は、取付板の少なくとも一対の長孔にネジがそれぞれ挿通されることで、非フィルタ領域が上方を向く範囲内に回転範囲が規制されていてもよい。
非フィルタ領域を上方に向けることにより、通常時においてポンプガード本体の上面に配置されるフィルタ孔の数を少なくでき、洗浄タンク内の異物をポンプガード内に吸い込みにくくすることができる。本発明に係る食器洗浄機用のポンプガードによれば、ポンプガード本体の回転可能な範囲が、非フィルタ領域が上方を向く範囲内に規制される。これにより、ポンプガード本体を回転させてポンプガード本体の側面全周の清掃を行った後に、非フィルタ領域が上方を向くようにポンプガード本体の位置決めを行うといった作業者の手間を省くことができる。
【００１０】
本発明に係る食器洗浄機用のポンプガードでは、上記一対の長孔は、取付板の回転方向及び上下方向に沿うように延在しており、ポンプガード本体は、複数のネジにより、取付板の長孔に沿って上下方向にスライド可能に係止されていてもよい。
本発明に係る食器洗浄機用のポンプガードによれば、一対の長孔が、取付板の回転方向に沿うと共に上下方向にも沿うように延在しているため、ポンプガード本体を上下方向にスライドさせることができる。これにより、ポンプガードを清掃する際には、ポンプガード本体を上方にスライドさせることで、ポンプガード本体の下面及びポンプガード下方の洗浄タンク底面の清掃を容易に行うことができる。
【００１１】
本発明に係る食器洗浄機用のポンプガードでは、ポンプガード本体の上面側には、フィルタ孔が設けられていない非フィルタ領域が形成され、取付板は、ネジを挿通させるための丸孔及び長孔を有し、長孔は、丸孔に挿通されたネジを中心とする円に沿って延在しており、ポンプガード本体は、丸孔及び長孔にネジがそれぞれ挿通されることで、非フィルタ領域が上方を向く範囲内に回転範囲が規制されていてもよい。
本発明に係る食器洗浄機用のポンプガードによれば、ポンプガード本体を、丸孔に挿通されたネジを中心軸として、回転させることができる。これにより、ポンプガードを清掃する際には、ポンプガードを回転させることで、ポンプガード本体の下面の清掃を容易に行うことができる。また、ポンプガード本体の回転可能な範囲が、非フィルタ領域が上方を向く範囲内に規制されるので、ポンプガードの清掃後に、非フィルタ領域が上方を向くようにポンプガード本体の位置決めを行うといった作業者の手間を省くことができる。
【００１２】
本発明に係る食器洗浄機用のポンプガードでは、吸込開口は円形状の開口であり、取付板は、取付板の回転方向に沿って延在する長孔と、吸込開口の一部を外側に切り欠いて形成された切り欠き溝と、を有し、ポンプガードは、長孔にネジが挿通されると共に切り欠き溝に他のネジの軸部が掛けられることで、他のネジを中心として回転可能に係止されていてもよい。
本発明に係る食器洗浄機用のポンプガードによれば、ポンプガード本体は、切り欠き溝に掛けられた他のネジを中心として回転可能であるため、ポンプガード本体の下面及びポンプガード下方の洗浄タンク底面の清掃を容易に行うことができる。また、取付板の吸込開口にネジを掛けるための切り欠き溝を設けたことで、吸込開口以外に長孔を一つだけ設ける構成となっている。このため、吸込開口以外に一対の孔部を設ける場合と比較して、取付板における吸込開口の高さ位置を下げることができる。これにより、洗浄タンクの側面に対するポンプガードの位置を高くすることが可能となり、ポンプガード本体の下面と洗浄タンク底面との隙間を大きくすることができる。従って、この食器洗浄機用のポンプガードによれば、ポンプガードの清掃作業の負担を軽減することができる。
【００１３】
本発明に係る食器洗浄機用のポンプガードでは、ネジの軸部には、円筒状のカラー部材が通されており、カラー部材の先端側には、洗浄タンクの側面に当接する先端面と、先端面の周囲に形成され、上記側面から離間する段差部と、が形成され、取付板の一部は、カラー部材の段差部と上記側面との間の隙間に入り込んでいてもよい。
本発明に係る食器洗浄機用のポンプガードによれば、カラー部材を用いることで、取付板を洗浄タンクの側面に対して完全に固定せずに取り付けることが容易となる。すなわち、取付板が吸込口の周りで回転可能なように、取付板を洗浄タンクの側面に対して取り付けることが容易となる。
【発明の効果】
【００１４】
本発明によれば、食器洗浄機用のポンプガードの清掃作業の負担を軽減することができる。
【図面の簡単な説明】
【００１５】
【図１】第１実施形態に係るポンプガードを含む食器洗浄機の概略図である。
【図２】洗浄タンク内における第１実施形態に係るポンプガードを示す概略斜視図である。
【図３】図２に示したポンプガードの分解斜視図である。
【図４】第１実施形態に係るポンプガードの各部を示す図であり、（ａ）はポンプガード全体の側面図であり、（ｂ）は取付板を示す図であり、（ｃ）は蓋部を示す図である。
【図５】取付板が係止された状態を示す断面図である。
【図６】第２実施形態に係るポンプガードの各部を示す図であり、（ａ）はポンプガード全体の側面図であり、（ｂ）は取付板を示す図であり、（ｃ）は蓋部を示す図である。
【図７】第２実施形態に係るポンプガードの反時計回りの回転限界位置を示す概略斜視図である。
【図８】第２実施形態に係るポンプガードの時計回りの回転限界位置を示す概略斜視図である。
【図９】第３実施形態に係るポンプガードの各部を示す図であり、（ａ）はポンプガード全体の側面図であり、（ｂ）は取付板を示す図であり、（ｃ）は蓋部を示す図である。
【図１０】第３実施形態に係るポンプガードの上下スライド範囲を示す概略斜視図である。
【図１１】第４実施形態に係るポンプガードの各部を示す図であり、（ａ）はポンプガード全体の側面図であり、（ｂ）は取付板を示す図であり、（ｃ）は蓋部を示す図である。
【図１２】第４実施形態に係るポンプガードの回転範囲を示す概略斜視図である。
【図１３】第５実施形態に係るポンプガードの各部を示す図であり、（ａ）はポンプガード全体の側面図であり、（ｂ）は取付板を示す図であり、（ｃ）は蓋部を示す図である。
【図１４】第５実施形態に係るポンプガードの回転範囲を示す概略図である。
【図１５】比較例に係るポンプガードの取付板を示す図である。
【発明を実施するための形態】
【００１６】
以下、添付図面を参照しながら本発明の実施形態を詳細に説明する。なお、図面の説明において同一又は同等の要素には同一の符号を付し、重複する説明を省略する。
【００１７】
［食器洗浄機について］
図１に示す食器洗浄機１は、いわゆるドア型食器洗浄機である。この食器洗浄機１は、ステンレス製の本体ケース２を有する。この本体ケース２の内部は、食器Ｄを収容して食器の洗浄を行うための洗浄室Ｒとして機能する。本体ケース２の左側方には、使用者が運転モードや設定を入力するための操作パネル３が設けられている。
【００１８】
本体ケース２には、洗浄室Ｒ内に食器Ｄを出し入れするためのドア４が取り付けられている。洗浄室Ｒ内には、ラックレール（図示せず）が設けられ、このラックレール上に、食器Ｄが並べられた食器ラック（図示せず）が載置される。
【００１９】
洗浄室Ｒ内の上部には、放射状に延びる３本のアームからなる上側洗浄ノズル５と、２本のアームからなる上側濯ぎノズル６とがそれぞれ回転自在に配置されている。同様に、洗浄室Ｒ内の下部には、例えば放射状に延びる３本のアームからなる下側洗浄ノズル７と、２本のアームからなる下側濯ぎノズル８とがそれぞれ回転自在に配置されている。これにより、食器ラックに並べられた食器Ｄには、洗浄工程において洗浄ノズル５，７によって上下から洗浄水が噴射され、濯ぎ工程において濯ぎノズル６，８によって上下から濯ぎ水が噴射されるため、食器Ｄの洗浄及び濯ぎが効率良く行われる。
【００２０】
このように構成された洗浄室Ｒの下方には、洗浄水を貯留するための洗浄タンク９が形成されている。この洗浄タンク９には、洗浄水の水位を検知するための水位検知スイッチ１０が設けられている。水位検知スイッチ１０は、洗浄タンク９内の水位が所定水位Ｈを超えている場合にＯＮとなり、所定水位Ｈ以下の場合にＯＦＦとなるスイッチである。
【００２１】
また、洗浄タンク９には、上下方向に延びるオーバーフローパイプ１１が設けられている。オーバーフローパイプ１１の上端は、洗浄タンク９の上縁を僅かに超えて洗浄室Ｒ内に位置しており、下端は洗浄タンク９の底面９ａから外へ突出している。洗浄タンク９内の余剰な洗浄水は、オーバーフローパイプ１１上端の流入孔から管内に流れ込んで外部に排出される。このオーバーフローパイプ１１は、洗浄タンク９に対して取り外し可能に構成されている。使用者がオーバーフローパイプ１１を取り外すことで、オーバーフローパイプ１１が差し込まれていた排水口が洗浄タンク９の底面９ａに露出し、洗浄タンク９内の洗浄水を完全に排水することができる。
【００２２】
この洗浄タンク９の側面には、洗浄水吸込管１３を介して洗浄ポンプ１４が接続されている。洗浄タンク９の洗浄水吸込管１３が取り付けられた吸込口９ｃには、ポンプガード１２が設けられている（詳しくは後述する）。
【００２３】
洗浄ポンプ１４の吐出口には洗浄水吐出管１５が接続され、この洗浄水吐出管１５は、第１の洗浄水吐出管１６と第２の洗浄水吐出管１７とに分岐して、第１の洗浄水吐出管１６は上側洗浄ノズル５に接続され、第２の洗浄水吐出管１７は下側洗浄ノズル７に接続されている。
【００２４】
また、食器洗浄機１は、濯ぎ水が貯留される貯湯タンク１８を有している。この貯湯タンク１８には、外部の給湯器（図示せず）から給湯管２１を介して濯ぎ水が供給される。給湯管２１には、ストレーナ１９及びウォータバルブ２０が設けられている。貯湯タンク１８内には、温水である濯ぎ水を所定温度に維持するための濯ぎ水ヒータ２２と、この濯ぎ水の温度を検知するための水温センサ２３とが設置されている。
【００２５】
また、貯湯タンク１８には、濯ぎ水吸込管２４を介して濯ぎポンプ２５が接続されている。この濯ぎポンプ２５の吐出口には濯ぎ水吐出管２６が接続されている。濯ぎ水吐出管２６は、第１の濯ぎ水吐出管２７と第２の濯ぎ水吐出管２８とに分岐して、第１の濯ぎ水吐出管２７は上側濯ぎノズル６に接続され、第２の濯ぎ水吐出管２８は下側濯ぎノズル８に接続されている。
【００２６】
食器洗浄機１には、動作全般を制御するマイクロコンピュータ（以下「マイコン」という）３０が内蔵された電装ボックス３１が設けられている。
【００２７】
また、食器洗浄機１には、外付け用の洗剤供給ポンプ３２が取り付けられている。洗剤供給ポンプ３２は、洗剤タンク３３内に貯留された洗剤を洗浄室Ｒに供給するためのベローズポンプである。洗剤供給ポンプ３２は、洗浄室Ｒの側壁に接続された洗剤吐出管３４と接続され、信号線によりマイコン３０に接続されている。洗剤供給ポンプ３２は、マイコン３０から出力される信号に応じて動作し、接続された洗剤吸込管３５から洗剤タンク３３内の洗剤を吸い込み、洗剤吐出管３４へ所定量の洗剤を吐出する。この洗剤は、洗剤吐出管３４の先端に設けられ、洗浄室Ｒと洗剤吐出管３４とを接続する洗剤吐出口３６から洗浄室Ｒ内に吐出される。洗浄室Ｒ内に吐出された洗剤は、洗浄室Ｒの下方の洗浄タンク９内に流れ込み洗浄水と混入される。
【００２８】
さらに、食器洗浄機１には、外付け用のリンス剤供給ポンプ３７が取り付けられている。リンス剤供給ポンプ３７は、リンス剤タンク３８内に貯留されたリンス剤を濯ぎ水路に供給するためのものである。リンス剤供給ポンプ３７は、濯ぎ水吐出管２６と連通するリンス剤吐出管３９に接続され、信号線によりマイコン３０に接続されている。リンス剤供給ポンプ３７は、マイコン３０から出力される信号に応じて動作し、接続されたリンス剤吸込管４０からリンス剤タンク３８内の洗剤を吸い込み、リンス剤吐出管３９へリンス剤を吐出する。リンス剤は、リンス剤供給ポンプ３７によってリンス剤吐出管３９から濯ぎ水吐出管２６内の濯ぎ水路へ吐出され、濯ぎ水に混入される。
【００２９】
［第１実施形態］
図２〜図５を用いて、第１実施形態に係るポンプガード１２の構成及び取付構造について説明する。図２及び図３に示されるように、第１実施形態に係るポンプガード１２は、洗浄タンク９の側面９ｂに設けられた洗浄ポンプ１４の吸込口９ｃを洗浄タンク９の内側から覆うように、吸込口９ｃの周縁部に取り付けられている。
【００３０】
吸込口９ｃの周縁部には、同一円周上に等間隔に３つのネジ孔９ｄが設けられており、各ネジ孔９ｄに対して、ネジ４１が締め込まれている。ネジ４１の軸部４１ａには、円筒状のカラー部材４２が通されている。詳しくは後述するが、ポンプガード１２の取付板４３は、洗浄タンク９の側面９ｂに対して固定された複数（ここでは３つ）のネジ４１及びカラー部材４２によって、吸込口９ｃの周りで回転可能に係止されている。
【００３１】
図４（ａ）は、ポンプガード１２の側面図であり、図４（ｂ）及び図４（ｃ）は、図４（ａ）のポンプガード１２を図示右側から見た場合（ポンプガード１２を蓋部４５側から見た場合）の取付板４３及び蓋部４５を示した図である。図４（ａ）においては、ポンプガード１２が洗浄タンク９の側面９ｂに係止された場合のネジ４１及びカラー部材４２の位置を破線で示している。また、図４（ｂ）においては、ポンプガード１２が洗浄タンク９の側面９ｂに係止された場合のカラー部材４２の位置を破線で示している。具体的には、カラー部材４２の先端面４２ａの外縁と段差部４２ｂの外縁とを破線で示している（図５参照）。
【００３２】
図４に示されるように、ポンプガード１２は、取付板４３、筒状部４４、及び蓋部４５を備え、外観略円柱状に形成されている。本実施形態では、筒状部４４と蓋部４５とを併せた部分が、ポンプガード本体Ｂを構成する。
【００３３】
取付板４３は、洗浄タンク９の側面９ｂと平行な取付面部４３ｂと、取付面部４３ｂの縁部に立設される側面部４３ｃとを有する。取付面部４３ｂは、吸込口９ｃに対応する吸込開口４３ａを有し、円環状に形成されている。
【００３４】
筒状部４４は、一端側の開口部４４ａと他端側の開口部４４ｂとの間に側面部４４ｃを有して円筒状に設けられている。側面部４４ｃには、洗浄タンク９内の洗浄水を吸い込むための複数のフィルタ孔４４ｄが設けられている。本実施形態では、取付板４３の側面部４３ｃの内側に筒状部４４の一端側の開口部４４ａが嵌め込まれることで、取付板４３は、筒状部４４に接続されている。
【００３５】
蓋部４５は、取付面部４３ｂと平行な蓋面部４５ａと、蓋面部４５ａの縁部に立設される側面部４５ｂとを有する蓋状部材である。側面部４５ｂの内側に筒状部４４の他端側の開口部４４ｂが嵌め込まれることで、蓋部４５は、筒状部４４に接続されている。蓋部４５には、ネジ４１及びカラー部材４２を通すためのネジ通し孔４５ｃが、ネジ孔９ｄの各位置に対応して３つ設けられている。
【００３６】
図５は、取付板４３がカラー部材４２により係止された状態を示す断面図である。図５に示されるように、カラー部材４２の先端側には、洗浄タンク９の側面９ｂに当接する先端面４２ａと、先端面４２ａの周囲に形成され、側面９ｂから離間する段差部４２ｂとが形成されている。取付面部４３ｂの吸込開口４３ａに沿った縁部分は、カラー部材４２の段差部４２ｂと側面９ｂとの間の隙間に入り込んでおり、当該縁部分と段差部４２ｂとの間には、さらに隙間ｄ（ｄ＞０）が生じている。これにより、取付面部４３ｂは、洗浄タンク９の側面９ｂに対して完全に固定されずに係止される。一方、図４（ｂ）及び図５に示すように、カラー部材４２の先端面４２ａと段差部４２ｂとを接続する側面４２ｃは、吸込開口４３ａに沿っている。これにより、取付板４３は、当該側面４２ｃをガイドとして、吸込口９ｃの周りをスムーズに回転することが可能とされている。
【００３７】
第１実施形態に係るポンプガード１２によれば、取付板４３が吸込口９ｃの周りで回転可能とされていることにより、通常時におけるポンプガード本体Ｂの下面（側面部４４ｃ，側面部４５ｂ）を上方に回転移動させることができる。これにより、通常時において清掃しにくいポンプガード本体Ｂの下面を、ポンプガード１２の着脱を行うことなく清掃することが容易となる。しかも、ポンプガード本体Ｂを清掃する際に、ネジ４１を完全に外してポンプガード１２を洗浄タンク９の側面９ｂから取り外す必要がなく、清掃の際にネジ４１等の部材が紛失するおそれがない。従って、このポンプガード１２によれば、ポンプガード１２の清掃作業の負担を軽減することができる。
【００３８】
［第２実施形態］
図６〜図８を用いて、第２実施形態に係るポンプガード５０について説明する。既に説明した他の実施形態と同様の構成部分については、詳細な説明を省略する。図６（ａ）は、ポンプガード５０の側面図であり、図６（ｂ）及び図６（ｃ）は、図６（ａ）のポンプガード５０を図示右側から見た場合（ポンプガード５０を蓋部５３側から見た場合）の取付板５１及び蓋部５３を示した図である。
【００３９】
図６に示されるように、ポンプガード５０は、取付板５１、筒状部５２、及び蓋部５３を備え、外観略円柱状に形成されている。筒状部５２と蓋部５３とを併せた部分は、ポンプガード本体Ｂ１を構成する。筒状部５２の各部（一端側の開口部５２ａ、他端側の開口部５２ｂ、側面部５２ｃ、フィルタ孔５２ｄ）の構成は、ポンプガード１２の筒状部４４と同様である。ただし、筒状部５２の側面部５２ｃの上面側には、フィルタ孔５２ｄが設けられていない非フィルタ領域Ｓが、ポンプガード５０の回転方向に沿った一定の範囲において形成されている。また、蓋部５３は、ネジ孔９ｄの各位置に対応して設けられたネジ通し孔５３ｃの位置が異なるだけでその他の構成については、ポンプガード１２の蓋部４５と同様である。
【００４０】
取付板５１では、取付面部５１ｂは、吸込口９ｃに対応する吸込開口５１ａを有すると共に、吸込開口５１ａを挟んで一対の長孔５４，５５を有している。長孔５４は、ポンプガード５０を蓋部５３側から見た場合に吸込開口５１ａの左側に設けられた長孔であり、長孔５５は、ポンプガード５０を蓋部５３側から見た場合に吸込開口５１ａの右側に設けられた長孔である。長孔５４，５５は、取付板５１の回転方向に沿って延在している。長孔５４，５５は、長孔５４，５５の中央位置にネジ４１及びカラー部材４２が挿通されている状態において、非フィルタ領域Ｓが筒状部５２の上部中央位置に配置されるように設けられている。なお、本実施形態では、洗浄タンク９の側面９ｂの吸込口９ｃを挟んで同じ水平高さの位置にネジ孔９ｄ，９ｄが設けられており、各ネジ孔９ｄに対して、ネジ４１がカラー部材４２を介して締め込まれている。
【００４１】
このように、一対の長孔５４，５５のそれぞれにネジ４１及びカラー部材４２が挿通される構成としたことにより、取付板５１の時計回り・反時計回りの回転範囲が制限される。より具体的には、取付板５１は、長孔５４に挿通されたカラー部材４２の側面４２ｃが長孔５４の上端部５４ａに接触するか、長孔５５に挿通されたカラー部材４２の側面４２ｃが長孔５５の下端部５５ｂに接触するまで反時計周りに回転可能とされており、それ以上は回転できないようになっている。そして、取付板５１を反時計回りに最大限回転させても、非フィルタ領域Ｓが上方を向くようにされている（図７参照）。
【００４２】
同様に、取付板５１は、長孔５４に挿通されたカラー部材４２の側面４２ｃが長孔５４の下端部５４ｂに接触するか、あるいは、長孔５５に挿通されたカラー部材４２の側面４２ｃが長孔５５の上端部５５ａに接触するまで、時計周りに回転可能とされており、それ以上は回転できないようになっている。そして、取付板５１を時計回りに最大限回転させても、非フィルタ領域Ｓが上方を向くようにされている（図８参照）。
【００４３】
非フィルタ領域Ｓを上方に向けることにより、通常時において筒状部５２の上面に配置されるフィルタ孔５２ｄの数を少なくでき、洗浄タンク９内の異物をポンプガード５０内に吸い込みにくくすることができる。従って、第２実施形態に係る食器洗浄機用のポンプガード５０によれば、ポンプガード本体Ｂ１の回転可能な範囲が、非フィルタ領域Ｓが上方を向く範囲内に規制される。これにより、ポンプガード本体Ｂ１を回転させてポンプガード本体Ｂ１の側面全周の清掃を行った後に、非フィルタ領域Ｓが上方を向くようにポンプガード本体Ｂ１の位置決めを行うといった作業者の手間を省くことができる。
【００４４】
［第３実施形態］
図９及び図１０を用いて、第３実施形態に係るポンプガード６０について説明する。既に説明した他の実施形態と同様の構成部分については、詳細な説明を省略する。図９（ａ）は、ポンプガード６０の側面図であり、図９（ｂ）及び図９（ｃ）は、図９（ａ）のポンプガード６０を図示右側から見た場合（ポンプガード６０を蓋部６３側から見た場合）の取付板６１及び蓋部６３を示した図である。
【００４５】
図９に示されるように、ポンプガード６０は、取付板６１、筒状部６２、及び蓋部６３を備え、外観略円柱状に形成されている。筒状部６２と蓋部６３とを併せた部分は、ポンプガード本体Ｂ２を構成する。ポンプガード本体Ｂ２の構成は、ポンプガード本体Ｂ１と同様である。
【００４６】
取付板６１の取付面部６１ｂは、吸込口９ｃに対応する吸込開口６１ａを有すると共に、吸込開口６１ａを挟んで一対の長孔６４，６５を有している。長孔６４は、ポンプガード６０を蓋部６３側から見た場合に吸込開口６１ａの左側に設けられた長孔であり、長孔６５は、ポンプガード６０を蓋部６３側から見た場合に吸込開口６１ａの右側に設けられた長孔である。長孔６４，６５は、取付板６１の回転方向及び上下方向に沿うように延在している。長孔６４，６５には、ネジ４１及びカラー部材４２がそれぞれ挿通されている。長孔６４，６５には、ネジ４１及びカラー部材４２が挿通されている。通常時には重力によって、長孔６４，６５の上端部６４ａ，６５ｂが、それぞれ長孔６４，６５に挿通されたカラー部材４２の側面４２ｃに接触した状態で安定する。長孔６４，６５は、この状態において筒状部６２に形成された非フィルタ領域Ｓが上方を向くように設けられている。なお、本実施形態では、第２実施形態と同様に、洗浄タンク９の側面９ｂの吸込口９ｃを挟んだ同じ水平高さの２つの位置にそれぞれネジ孔９ｄが設けられており、各ネジ孔９ｄに対して、ネジ４１がカラー部材４２を介して締め込まれている。
【００４７】
第３実施形態に係る食器洗浄機用のポンプガード６０によれば、一対の長孔６４，６５が、取付板６１の回転方向に沿うと共に上下方向にも沿うように延在しているため、ポンプガード本体Ｂ２を上下方向にスライドさせることができる。すなわち、長孔６４，６５の下端部６４ｂ，６５ｂが、それぞれ長孔６４，６５に挿通されたカラー部材４２の側面４２ｃに接触する位置まで、ポンプガード本体Ｂ２を上方にスライドさせることができる（図１０参照）。これにより、ポンプガード６０を清掃する際には、ポンプガード本体Ｂ２を上方にスライドさせることで、ポンプガード本体の下面（側面部６２ｃ，側面部６３ｂ）及びポンプガード下方の洗浄タンク９の底面９ａの清掃を容易に行うことができる。
【００４８】
また、ポンプガード６０では、第２実施形態に係るポンプガード５０と同様に、取付板６１が吸込口９ｃの周りで回転可能とされている。また、取付板６１の回転範囲は、取付板５１と同様に、非フィルタ領域Ｓが上方を向く範囲内に制限されている。このように取付板６１が回転可能かつ上下スライド可能な構成は、例えば、横方向（長孔６４，６５の延在方向に直交する方向）において、長孔６４，６５とカラー部材４２の側面４２ｃとの間に若干のあそびが設けられることで実現されてもよい。すなわち、長孔６４，６５の横幅がカラー部材４２の側面４２ｃの径よりも大きくされていることで、取付板６１は、上下スライド可能とされると共に、吸込口９ｃの周りで一定範囲内において回転可能となる。このポンプガード６０によれば、第２実施形態に係るポンプガード５０と同様に、ポンプガード本体Ｂ２を回転させてポンプガード本体Ｂ２の側面全周の清掃を行うことができると共に清掃後に非フィルタ領域Ｓが上方を向くようにポンプガード本体Ｂ２の位置決めを行うといった作業者の手間を省くことができる。
【００４９】
［第４実施形態］
図１１及び図１２を用いて、第４実施形態に係るポンプガード７０について説明する。既に説明した他の実施形態と同様の構成部分については、詳細な説明を省略する。図１１（ａ）は、ポンプガード７０の側面図であり、図１１（ｂ）及び図１１（ｃ）は、図１１（ａ）のポンプガード７０を図示右側から見た場合（ポンプガード７０を蓋部７３側から見た場合）の取付板７１及び蓋部７３を示した図である。
【００５０】
図１１に示されるように、ポンプガード７０は、取付板７１、筒状部７２、及び蓋部７３を備え、外観略円柱状に形成されている。筒状部７２と蓋部７３とを併せた部分は、ポンプガード本体Ｂ３を構成する。ポンプガード本体Ｂ３の構成は、ポンプガード本体Ｂ１と同様である。
【００５１】
取付板７１の取付面部７１ｂは、吸込口９ｃに対応する吸込開口７１ａを有すると共に、吸込開口７１ａを挟んで丸孔７４及び長孔７５を有している。丸孔７４は、ポンプガード７０を蓋部７３側から見た場合に吸込開口７１ａの左側に設けられており、長孔７５は、ポンプガード７０を蓋部７３側から見た場合に吸込開口７１ａの右側に設けられている。長孔７５は、丸孔７４を中心とする円に沿って延在するように形成されている。図１１（ａ）及び図１１（ｂ）に示されるように、丸孔７４及び長孔７５には、ネジ４１及びカラー部材４２が挿通されている。通常時には重力によって、長孔７５の上端部７５ａが、長孔７５に挿通されたカラー部材４２の側面４２ｃに接触した状態で安定する。長孔７５は、この状態において筒状部７２に形成された非フィルタ領域Ｓが上方を向くように設けられている。なお、本実施形態では、第２実施形態及び第３実施形態と同様に、洗浄タンク９の側面９ｂの吸込口９ｃを挟んだ同じ水平高さの２つの位置にそれぞれネジ孔９ｄが設けられており、各ネジ孔９ｄに対して、ネジ４１がカラー部材４２を介して締め込まれている。
【００５２】
ポンプガード本体Ｂ３は、丸孔７４に挿通されたネジ４１を中心軸として、長孔７５の下端部７５ｂが長孔７５に挿通されたカラー部材４２の側面４２ｃに接触する位置まで、回転可能とされている。図１１に示すように丸孔７４の位置が取付板７１の取付面部７１ｂの中心位置から偏心している場合には、ポンプガード本体Ｂ３は、回転しながら上方に移動する（図１２参照）。また、ポンプガード本体は、いずれの状態においても非フィルタ領域Ｓが上方を向くように移動範囲が制限されている。このような制限をかけることは、例えば長孔７５の長さを調整することで可能である。
【００５３】
第４実施形態に係る食器洗浄機用のポンプガード７０によれば、ポンプガード本体Ｂ３を、丸孔７４に挿通されたネジ４１を中心軸として、回転させることができる。これにより、ポンプガード７０を清掃する際には、ポンプガード７０を回転させることで、ポンプガード本体Ｂ３の下面（側面部７２ｃ，側面部７３ｂ）の清掃を容易に行うことができる。また、上述したとおり、丸孔７４の位置が取付板７１の取付面部７１ｂの中心位置から偏心している場合には、ポンプガード本体Ｂ３は、回転しながら上方に移動可能となる。この場合には、ポンプガード本体Ｂ３の下面と共にポンプガード下方の洗浄タンク９の底面９ａの清掃を容易に行うことができる。また、ポンプガード本体の回転可能な範囲が、非フィルタ領域Ｓが上方を向く範囲内に規制されるので、ポンプガード７０の清掃後に、非フィルタ領域Ｓが上方を向くようにポンプガード本体の位置決めを行うといった作業者の手間を省くことができる。
【００５４】
なお、本実施形態における丸孔７４は、完全な丸状（円形）でなくともよい。例えば、丸孔７４は、ネジ４１の形状に合わせて多角形状に形成されていてもよい。
【００５５】
［第５実施形態］
図１３〜図１５を用いて、第５実施形態に係るポンプガード８０について説明する。既に説明した他の実施形態と同様の構成部分については、詳細な説明を省略する。
【００５６】
まず、図１５を用いて、比較例に係るポンプガード９０の取付板９１について説明する。図１５に示されるように、比較例に係るポンプガード９０では、一対のダルマ孔（孔部９１ｂ，９１ｃ）の小穴部分同士の中間位置Ｐ１に円形状の吸込開口９１ａの中心が位置するように、一対の孔部９１ｂ，９１ｃを設けられている。これは、取付板９１の洗浄タンク９の側面９ｂに対する密着性を高めるためである。一方、ポンプガード９０の下面及びポンプガード９０の下方の洗浄タンク９の底面９ａの清掃を容易にするという観点からは、洗浄タンク９の側面９ｂに対するポンプガード９０の固定位置を高くすることが好ましい。ここで、ポンプガード９０の固定位置を高くするためには、取付板９１における吸込開口９１ａの位置をできるだけ低くする必要がある。そして、取付板９１の洗浄タンク９の側面９ｂに対する密着性を考慮して吸込開口９１ａ及び一対の孔部９１ｂ，９１ｃを配置しようとすると、取付板９１における吸込開口９１ａの位置だけでなく、吸込開口９１ａの両側に位置する一対の孔部９１ｂ，９１ｃの位置も同時に下げる必要がある。しかし、取付板９１が円形の場合には、取付板９１の横幅は、取付板９１の中心高さ位置から下側に向かうにつれて短くなるため、取付板９１における吸込開口９１ａの下げ幅には限界がある。図１５に示す例では、吸込開口９１ａ及び一対の孔部９１ｂ，９１ｃの高さ位置をこれ以上下げることは困難である。
【００５７】
続いて、ポンプガード８０の構成について詳細に説明する。図１３（ａ）は、ポンプガード８０の側面図であり、図１３（ｂ）及び図１３（ｃ）は、図１３（ａ）のポンプガード８０を図示右側から見た場合（ポンプガード８０を蓋部８３側から見た場合）の取付板８１及び蓋部８３を示した図である。
【００５８】
図１３に示されるように、ポンプガード８０は、取付板８１、筒状部８２、及び蓋部８３を備え、外観略円柱状に形成されている。筒状部８２と蓋部８３とを併せた部分は、ポンプガード本体Ｂ４を構成する。ポンプガード本体Ｂ４の構成は、ポンプガード本体Ｂ１と同様である。
【００５９】
取付板８１の取付面部８１ｂは、吸込口９ｃに対応する円形の吸込開口８１ａを有すると共に、吸込開口８１ａの左側に取付板８１の回転方向に沿って延在する長孔８４を有する。吸込開口８１ａには、吸込開口８１ａに対して長孔８４が位置する側とは反対側において、吸込開口８１ａの一部を外側に切り欠いて形成された切り欠き溝８５が設けられている。長孔８４は、ダルマ孔とされている。長孔８４において通常時にネジ４１が挿通される小穴部分８４ａと切り欠き溝８５との中間位置Ｐ２に吸込開口８１ａの中心が位置している。長孔８４の小穴部分８４ａ及び切り欠き溝８５には、ネジ４１及びカラー部材４２がそれぞれ挿通されている。なお、本実施形態では、第２〜第４実施形態と同様に、洗浄タンク９の側面９ｂの吸込口９ｃを挟んだ同じ水平高さの２つの位置にそれぞれネジ孔９ｄが設けられており、各ネジ孔９ｄに対して、ネジ４１がカラー部材４２を介して締め込まれている。
【００６０】
ポンプガード本体Ｂ４は、切り欠き溝８５に掛けられたネジ（他のネジ）４１を中心軸として、長孔８４の下端部８４ｂが長孔８４に挿通されたカラー部材４２の側面４２ｃに接触する位置まで、回転しながら上方に移動可能とされている（図１４参照）。
【００６１】
第５実施形態に係る食器洗浄機用のポンプガード８０によれば、ポンプガード本体Ｂ４は、切り欠き溝８５に掛けられたネジ（他のネジ）を中心として回転可能であるため、ポンプガード本体Ｂ４の下面（側面部８２ｃ，側面部８３ｂ）及びポンプガード下方の洗浄タンク９の底面９ａの清掃を容易に行うことができる。また、ポンプガード８０では、取付板８１の吸込開口８１ａにネジ４１を掛けるための切り欠き溝８５を設けたことで、吸込開口８１ａ以外に長孔８４を一つだけ設ける構成となっている。このため、吸込開口９１ａ以外に一対の孔部９１ｂ，９１ｃを設ける必要がある比較例に係る取付板９１と比較して、取付板８１における吸込開口８１ａの高さ位置を下げることができる。これにより、洗浄タンク９の側面９ｂに対するポンプガード８０の取付位置を高くすることが可能となり、ポンプガード本体Ｂ４の下面と洗浄タンク９の底面９ａとの隙間を大きくすることができる。従って、この食器洗浄機用のポンプガード８０によれば、ポンプガード８０の清掃作業の負担を軽減することができ。
【００６２】
本発明は、上述した実施形態に限定されるものではない。
【００６３】
例えば、第１〜第５実施形態において、取付板、筒状部、及び蓋部の２以上の部材が一体的に形成されていてもよい。また、必ずしもカラー部材４２は必須ではない。例えば、取付板が洗浄タンク９の側面９ｂに対して完全に固定されないように、ネジ４１の頭部を少し浮かせて止めてもよい。また、通常時には、ネジ４１によって取付板を洗浄タンク９の側面９ｂに対して固定しておき、清掃時にネジ４１を少し緩めることで取付板を吸込口９ｃの周りで回転可能に係止するようにしてもよい。このようにしても、清掃時においてネジ４１を外したり、ポンプガードを取り外したりすることが不要となるため、清掃作業の負担を軽減することができる。また、第４実施形態において、丸孔７４の位置と長孔８４の位置とを左右逆にしてもよい。同様に、第５実施形態において、長孔８４と切り欠き溝８５を設ける位置とを左右逆にしてもよい。
【符号の説明】
【００６４】
１…食器洗浄機、９…洗浄タンク、９ｂ…側面、９ｃ…吸込口、１２，５０，６０，７０，８０，９０…ポンプガード、１４…洗浄ポンプ、４１…ネジ、４１ａ…軸部、４２…カラー部材、４２ａ…先端面、４２ｂ…段差部、４３，５１，６１，７１，８１，９１…取付板、４３ａ，５１ａ，６１ａ，７１ａ，８１ａ，９１ａ…吸込開口、４４，５２，６２，７２，８２…筒状部、４４ｄ，５２ｄ，６２ｄ，７２ｄ，８２ｄ…フィルタ孔、４５，５３，６３，７３，８３…蓋部、５４，５５，６４，６５，７５，８４…長孔、７４…丸孔、８５…切り欠き溝、Ｂ，Ｂ１，Ｂ２，Ｂ３，Ｂ４…ポンプガード本体、ｄ…隙間、Ｓ…非フィルタ領域。
【図１】
2015077267.tif 000003
【図２】
2015077267.tif 000004
【図３】
2015077267.tif 000005
【図４】
2015077267.tif 000006
【図５】
2015077267.tif 000007
【図６】
2015077267.tif 000008
【図７】
2015077267.tif 000009
【図８】
2015077267.tif 000010
【図９】
2015077267.tif 000011
【図１０】
2015077267.tif 000012
【図１１】
2015077267.tif 000013
【図１２】
2015077267.tif 000014
【図１３】
2015077267.tif 000015
【図１４】
2015077267.tif 000016
【図１５】
2015077267.tif 000017